(57)【要約】【課題】構成簡易且つ廉価で、しかもスマートなデザインで使い勝手がよく、防水性があるマッサージ具を提供することを課題とする。【解決手段】握持に適した径のストレートな又は屈曲した筒状体１の一半部をモーター装填部２として振動発生モーター３を装填し、その他半部を乾電池収装部４として乾電池５を収装し、乾電池収装部４に振動発生モーター３を始動させるスイッチ６を配備し、更に筒状体１の全体をカバーで被覆して成り、前記カバーは２つの耐水性のある伸縮素材製袋状カバー７、８から成り、それらの開口側端部同士が筒状体１の中間部においてオーバーラップするように、筒状体１の両側から被装されることを特徴とする。【選択図】図３
2013183978.tif 000002
【特許請求の範囲】
【請求項１】
握持に適した径のストレートな又は屈曲した筒状体の一半部をモーター装填部として振動発生モーターを装填し、その他半部を乾電池収装部として乾電池を収装し、前記乾電池収装部に前記振動発生モーターを始動させるスイッチを配備し、更に前記筒状体の全体をカバーで被覆して成り、
前記カバーは２つの耐水性のある伸縮素材製袋状カバーから成り、それらの開口側端部同士が前記筒状体の中間部においてオーバーラップするように、前記筒状体の両側から被装されることを特徴とするマッサージ具。
【請求項２】
前記筒状体成形時に前記モーター装填部の端部に、前記モーター装填部よりも少し大径の太径部が形成され、該太径部が分離されて前記モーター装填部の端部キャップとされる、請求項１に記載のマッサージ具。
【請求項３】
前記スイッチは、前記乾電池収装部を強く握持することにより入動作して前記振動発生モーターを駆動させる板バネスイッチである、請求項１又は２に記載のマッサージ具。
【発明の詳細な説明】
【技術分野】
【０００１】
本発明は、マッサージ具に関するものであり、より詳細には、一半部を片手で持ち、他半部を首や肩等に当てて使用する、スマートなデザインで防水性を有するマッサージ具に関するものである。
【背景技術】
【０００２】
肩や首のこりを、振動を与えて軽減・解消するためのマッサージ具は、高級で高価なものから、簡易な構成で比較的低廉なものまで、種々のものが多数出回っている。
【０００３】
このマッサージ具は、例えば入浴中のように、水のかかる状況下で使用したいとの要請に応えるためには、十分な防水性能を備えることが必要となる。水中での使用を可能にした防水性能を備えるマッサージ具としては、例えば、実用新案登録第３０２５３３６号公報（特許文献１）に記載の考案がある。しかし、その考案の場合、筒状ケースの接合部や開口部における防水性確保のために、パッキンやシール材を用いた防水構造を採るため、その分部品点数が増え、組み立てにも手間がかかる。
【０００４】
また、スイッチ部分等がケースから突出して設けられているものや、角部のあるマッサージ具が少なくないが、それらの場合はその突出部や角部が皮膚に当たり、怪我をすることもある。
【先行技術文献】
【特許文献】
【０００５】
【特許文献１】実用新案登録第３０２５３３６号公報
【発明の概要】
【発明が解決しようとする課題】
【０００６】
上述したように、従来より種々のタイプのマッサージ具が出回っており、それらのうち防水性能を備えるマッサージ具の場合は、筒状ケースの接合部や開口部における防水性確保のために、パッキンやシール材を用いた防水構造を採るため、その分部品点数が増え、組み立てにも手間がかかるという問題があり、また、スイッチ部分等がケースから突出して設けられているものや、角部のあるマッサージ具の場合は、その突出部や角部が皮膚に当たり、怪我をすることがあるという問題がある。
【０００７】
本発明は、このような従来のマッサージ具における問題点を解決するためになされたもので、シンプルでスマートなデザインであって、防水性に優れ、突出部がないために不用意に接触して怪我をするおそれがなく、しかも使い勝手がよいマッサージ具を提供することを課題とする。
【課題を解決するための手段】
【０００８】
上記課題を解決するための請求項１に記載の発明は、握持に適した径のストレートな又は屈曲した筒状体の一半部をモーター装填部として振動発生モーターを装填し、その他半部を乾電池収装部として乾電池を収装し、前記乾電池収装部に前記振動発生モーターを始動させるスイッチを配備し、更に前記筒状体の全体をカバーで被覆して成り、前記カバーは２つの耐水性のある伸縮素材製袋状カバーから成り、それらの開口側端部同士が前記筒状体の中間部においてオーバーラップするように、前記筒状体の両側から被装されることを特徴とするマッサージ具である。
【０００９】
一実施形態においては、前記筒状体成形時に前記モーター装填部の端部に太径部が形成され、該太径部が分離されて前記モーター装填部の端部キャップとされる。また、前記スイッチは、前記乾電池収装部を強く握持することにより入動作して前記振動発生モーターを駆動させる板バネスイッチとされる。
【発明の効果】
【００１０】
本発明は上記のとおりであって、握持に適した径のストレートな又は屈曲した筒状体の一半部をモーター装填部として振動発生モーターを装填し、その他半部を乾電池収装部として乾電池を収装し、前記乾電池収装部に前記振動発生モーターを始動させるスイッチを配備し、更に前記筒状体の全体をカバーで被覆して成り、前記カバーは２つの耐水性のある伸縮素材製袋状カバーから成り、それらの開口側端部同士が前記筒状体の中間部においてオーバーラップするように、前記筒状体の両側から被装される構成であるため、当該オーバーラップ部分において十分な防水性能が得られ、また、全体的に構成簡易で廉価にて供給でき、スマートなデザインで使い勝手がよいという効果がある。
【図面の簡単な説明】
【００１１】
【図１】本発明に係るマッサージ具の一実施形態の斜視図である。
【図２】本発明に係るマッサージ具の一実施形態における袋状カバーを示す斜視図である。
【図３】本発明に係るマッサージ具の一実施形態における筒状体を示す斜視図である。
【図４】本発明に係るマッサージ具の一実施形態の袋状カバーを除いた状態の斜視図である。
【図５】本発明に係るマッサージ具の一実施形態における端子板設置部分の構成を示す斜視図である。
【発明を実施するための形態】
【００１２】
本発明を実施するための形態につき、添付図面を参照しつつ説明する。本発明に係るマッサージ具は、握持に適した径であって、ストレートな又は屈曲した樹脂製筒状体１を設け（図示した例では、くの字形に屈曲されている。）、その一半部であるモーター装填部２に振動発生モーター３を嵌合設置し、その他半部である乾電池収装部４に乾電池５を収装し、また、乾電池収装部４に、振動発生モーター３を始動させるスイッチである板バネスイッチ６を配備し、更に筒状体１の全体を被覆カバーで被覆して成る。
【００１３】
被覆カバーは一対の袋状カバー７、８から成り（図５では、筒状体１の形状に対応する形状に示されているが、通例、当初は単なる円筒状である。）、袋状カバー７、８は、ゴム等のある程度の伸縮性のある耐水資材製で、それぞれ開口部を拡げて、一方の袋状カバー７はモーター装填部２に被装し、他方の袋状カバー８は乾電池収装部４に被装する。その際、一方の袋状カバー７の開口側端部と他方の袋状カバー８の開口側端部が、適量オーバーラップするように、各袋状カバー７、８のサイズ設定がなされる。袋状カバー７、８は、当該オーバーラップ部分において互いに密着し合って筒状体１を緊締するため、その部分の水密性を十分に保持することができる。
【００１４】
筒状体１は、例えば、図２に示されるように、一端が閉塞され、他端が開口された、くの字形のパイプ形状に樹脂成形されて形成される。筒状体１のモーター装填部２には、縮径化された区切り部９〜１１が複数形成され、最外側の区切り部９より外側に、内側部分よりも少し大径化された太径部１２が形成され、太径部１２の閉塞端面は半球面状にされる。そして、区切り部９とその内側の区切り部１０との間が、振動発生モーター３を嵌装するためのモーター装填部２とされる。なお、振動発生モーター３としては、出力軸に偏心重りを取り付けた、一般的なものを用いることができる。
【００１５】
後述するように、組み立てに際して区切り部９が切断されてそれより先の部分が分離され、その分離により生ずる開口部からモーター装填部２内に振動発生モーター３を組み込んだ後（その際、振動発生モーター３のモーター装填部２内への装填を容易にするために、モーター装填部２に切れ目を入れることもある。）、太径部１２が、端部キャップとしてモーター装填部２に被装され、以て、振動発生モーター３の装填状態が安定的に維持されるようにされる。そのため、太径部１２の内径は、モーター装填部２の外径とほぼ等しくなるように設定される必要がある。
【００１６】
図４に示されるように、乾電池収装部４の内奥端に内向きの内方延出部１５が形成され、該内方延出部１５に端子板１６が組み付けられる。端子板１６は、収装される乾電池５の底面（負極）に圧接するスプリング１７を備え、また、端子板１６には、振動発生モーター３の負極から延びるリード線２１が接続される。
【００１７】
乾電池収装部４の外側面には、その長さ方向に延びる凹陥部２２が形成され、凹陥部２２に沿って板バネスイッチ２３が配置される。板バネスイッチ２３は、その一端部２３ａが乾電池収装部４の端部に形成される係止孔１３に係止されてその位置に設置され、乾電池５の正極端子に当接した状態で凹陥部２２に沿って折曲され、その先端部は、凹陥部２２の端部に配備される接点プレート１９上に設けられる接点２０上にまで延びる。接点プレート１９には、振動発生モーター３の正極から延びるリード線２１ａが接続される。なお、接点プレート１９に１又は複数の突子嵌合孔１９ａを穿設し、その突子嵌合孔１９ａに凹陥部２２の端部に突設した突子１８を嵌入させるようにすることで、接点プレート１９の位置決めを容易化することができる。
【００１８】
板バネスイッチ２３は一種の板バネであって、その先端部はそのバネ力により、無負荷時には浮上して接点２０から離れているが、握持に伴ってある程度強い負荷が加わると接点２０に接し、以て、乾電池５と振動発生モーター３とを導通状態にして振動発生モーター３を作動させる。
【００１９】
かかる構成の本発明に係るマッサージ具を組み立てるには、先ず、成形した筒状体１の太径部１２を切離して端部キャップを形成する。そして、振動発生モーター３を、リード線２１、２１ａをはんだ付けした後、開口部より挿入してモーター装填部２に嵌装する（図３参照）。その後太径部（端部キャップ）１２を、モーター装填部２を覆うように嵌め付ける。また、乾電池収装部４に乾電池５を収装し、板バネスイッチ２３をセットした後、袋状カバー７、８を順次被装して完成となる。
【００２０】
かくして振動発生モーター３、乾電池５及び板バネスイッチ２３を組み込んだ筒状体１の全体が袋状カバー７、８に覆われるが、袋状カバー７、８の端部同士が密着状態にオーバーラップして筒状体１を緊締するため、パッキン材やシール材を一切用いることなく、全体の水密性を確保することができる。従って、入浴中、その他水のかかる状況下においての使用も可能となる。また、すべての部品がパイプ状の筒状体１内に収まるために突出する部分がなく、安全でスマートなデザインのマッサージ具となる。
【００２１】
本マッサージ具を使用するに際しては、握持部となる電池収装部４を軽く握り、モーター装填部２側の任意の位置（通常、太径部（端部キャップ）１２が被せられたモーター装填部２の部分）を、肩、首その他の振動刺激を与える個所に当て、電池収装部４を少し強く握る。このように強く握ることにより、板バネスイッチ２３が接点２０に当接してスイッチが入り、振動発生モーター３が始動して当接個所に振動を伝達する。使用を中止する場合は、電池収装部４に対する握持力を弱めればよい。    
【００２２】
この発明をある程度詳細にその最も好ましい実施形態について説明してきたが、この発明の精神と範囲に反することなしに広範に異なる実施形態を構成することができることは明白である。従って、この発明は、特許請求の範囲において限定した以外はその特定の実施形態に制約されるものではない。
【符号の説明】
【００２３】
１      筒状体
２      モーター装填部
３      振動発生モーター
４      乾電池収装部
５      乾電池
７      袋状カバー
８      袋状カバー
９      区切り部
１０      区切り部
１１      区切り部
１２      太径部
１３      係止孔
１５      内方延出部
１６      端子板
１７      スプリング      
１８      突子
１９      接点プレート
１９ａ    突子嵌合孔
２０      接点
２１      リード線
２１ａ    リード線
２２      凹陥部
２３      板バネスイッチ
【図１】
2013183978.tif 000003
【図２】
2013183978.tif 000004
【図３】
2013183978.tif 000005
【図４】
2013183978.tif 000006
【図５】
2013183978.tif 000007